(57)【特許請求の範囲】
【請求項１】
外壁部より外方に突出した位置に窓開口付きの前面部を有し、軒先部に樋が取り付けられた屋根部のその軒先部の高さ位置付近に達する出窓の構造であって、
前記樋を下方から覆う樋カバーが、前記前面部の上端面から前記外壁部にわたる出窓上部を覆って、出窓屋根兼用に設けられ、
前記樋カバーの下方に位置し、前記外壁部の外壁面から前記前面部の上端面にわたる、前記出窓の上部全体を覆って水切り板が設けられたことを特徴とする出窓構造。
【請求項２】
外壁部より外方に突出した位置に窓開口付きの前面部を有し、軒先部に樋が取り付けられた屋根部のその軒先部の高さ位置付近に達する出窓の構造であって、
前記樋を下方から覆う樋カバーが、前記前面部の上端面から前記外壁部にわたる出窓上部を覆って、出窓屋根兼用に設けられ、
前記樋カバーの下方に位置し、前記外壁部の外壁面から前記前面部の上端面にわたる、前記出窓の上部全体を覆って水切り板が設けられ、
前記前面部は、屋外側に防水シートを有し、
前記外壁部は、屋外側に防水シートを有し、
前記水切り板は、屋外側端部が前記前面部の防水シートと水密に接合され、家屋側端部が前記外壁部の防水シートと水密に接合されていることを特徴とする出窓構造。
【発明の詳細な説明】
【０００１】
【発明の属する技術分野】
本発明は、出窓の屋根が樋カバーで兼用された出窓構造に関する。
【０００２】
【関連技術および発明が解決しようとする課題】
一般に、出窓を設ける場合には、その出窓に独立した屋根が設けられることが多い。しかし、出窓に独立した屋根を設けることは、構造が複雑になりコストおよび工数の増加につながり、しかもデザイン上の簡潔さを損なうという問題がある。
【０００３】
また、出窓用の独立した屋根を設けなくてすむように、出窓上部を軒の高さ付近まで達するようにし、家屋本体の屋根が出窓の屋根を兼ねるようにすることも考えられる。この場合は、少なくとも出窓上方において、家屋本体の屋根が出窓全体を覆うまで軒の延びた状態とする必要がある。例えば、平面視において出窓上部の屋根や樋が屋外側に突出するようにすることが考えられる。しかし、このようにすると、構造が複雑となるためコストと工数の増加を招くとともに、軒先位置が揃わずデザイン上も好ましくない。また、屋根全体の軒を長くした場合は、大幅な屋根面積の増加を招き、コストと工数を増加させることになる。
【０００４】
本発明は、このような問題点に鑑みてなされたものであって、その目的は、屋根の軒先部に近い高さに達する出窓の構造において、出窓を雨などから保護する機能を備え、デザイン性に優れ、構造が簡単でコストや工数の増加を招くことのない出窓構造およびそれに用いられる出窓ユニットを提供することにある。
【０００５】
【課題を解決するための手段】
以下、本欄においては、上記目的を達成するための手段を、本願発明の各構成要件に対して実施の形態の符号を付して説明する。
【０００６】
請求項１に記載の発明に係る出窓構造は、
外壁部より外方に突出した位置に窓開口付きの前面部を有し、軒先部に樋が取り付けられた屋根部のその軒先部の高さ位置付近に達する出窓の構造であって、
前記樋を下方から覆う樋カバーが、前記前面部の上端面から前記外壁部にわたる出窓上部を覆って、出窓屋根兼用に設けられ、
前記樋カバーの下方に位置し、前記外壁部の外壁面から前記前面部の上端面にわたる、前記出窓の上部全体を覆って水切り板が設けられたことを特徴とする。
【０００７】
請求項１に記載の発明によれば、樋カバーが、出窓上部を覆い、出窓の屋根を兼用するものとなるため、出窓が雨などから十分に保護された出窓構造となる。したがって、出窓を保護するために出窓上方のみ軒が長い屋根としたり、出窓専用の屋根を設けたりする必要がなく、すっきりとしたデザインの出窓構造が得られるとともに、コストや工数の少ない出窓構造となる。
【０００８】
【０００９】
【００１０】
【００１１】
【００１２】
【００１３】
また、水切り板が出窓上部全体を覆うため、雨等の出窓への到達がさらに確実に防止された出窓構造となる。
【００１４】
請求項２に記載の出窓構造は、
外壁部より外方に突出した位置に窓開口付きの前面部を有し、軒先部に樋が取り付けられた屋根部のその軒先部の高さ位置付近に達する出窓の構造であって、
前記樋を下方から覆う樋カバーが、前記前面部の上端面から前記外壁部にわたる出窓上部を覆って、出窓屋根兼用に設けられ、
前記樋カバーの下方に位置し、前記外壁部の外壁面から前記前面部の上端面にわたる、前記出窓の上部全体を覆って水切り板が設けられ、
前記前面部は、屋外側に防水シートを有し、
前記外壁部は、屋外側に防水シートを有し、
前記水切り板は、屋外側端部が前記前面部の防水シートと水密に接合され、家屋側端部が前記外壁部の防水シートと水密に接合されていることを特徴とする。
【００１５】
本発明によれば、水切り板が、前面部の防水シートおよび外壁部の防水シートと水密に接合されているため、外壁部屋外側面から水切り板を介して前面部屋外側面にわたって連続した防水層が形成される。この防水層は、樋カバーと前面部の外装材とがシール材で水密に接合されて得られた前述した防水すなわち一次防水に加えて、二次防水として機能し、出窓を更に確実に防水する。したがって、万一、一次防水が破られた場合でも出窓の防水を確保することができる。
【００１６】
【００１７】
【００１８】
【００１９】
【００２０】
【発明の実施の形態】
以下、本発明の好適な実施例について、図面を参照しながら、さらに具体的に説明する。
【００２１】
図１は、本実施例の出窓構造を示す断面図であり、図２および図３は、本実施例の出窓構造が用いられた家屋７０全体の正面図および側面図である。これらの図に示すように、本実施例の家屋７０においては、樋カバー５２が、家屋７０の全周にわたって設けられている。また、本実施例の出窓１０は、屋根部４０の軒先部４４付近の高さまで達し、屋根部４０の軒先部４４よりも外壁部３４から屋外側に突出したものとなっている。
【００２２】
出窓１０が設けられた部分の外壁部３４は、図１に示すように、小壁３８となっている。小壁３８の屋外側は、図４に模式的な断面図として示すように、防水シート３５で覆われ、さらにその屋外側は面材３６例えば繊維入りセメント板で覆われている。
【００２３】
また、出窓１０の屋外側は、窓開口２１を有する前面部１４となっており、その上部部分は、やはり小壁１５となっている。この小壁１５も、図４に模式的な断面図として示すように、屋外側が防水シート１８で覆われ、そのさらに屋外側が胴縁１９を挟んで外装材２０によって覆われている。外装材２０は、防水性を有している。そして、前面部１４の下部部分は腰壁２２となっており、腰壁２２は、本実施例の家屋の一部の模式的な斜視図である図８に示した、出窓１０部分の床部２４である屋外側に突出した床部２４の床面まで続いている。
【００２４】
外壁部３４の小壁３８と前面部１４の上部部分に位置する小壁１５との間には、連結部材である屋切り３２が、間隔をおいて複数配置されて、外壁部３４の小壁３８と前面部１４の小壁１５とを連結している。
【００２５】
出窓１０の上部は、詳細を示す模式的な断面図として図４にも示すように、外壁部３４の一部を成す小壁３８の屋外側から、前面部１４の小壁１５の上端面１７にわたって設けられた板状の水切り板２６で覆われている。したがって、水切り板２６が出窓１０の上部全体を覆うため、雨等の出窓１０への到達が防止された出窓構造となる。なお、前面部１４の小壁１５の上端面１７は、水切り板２６の水勾配に対応した上面を持つように形成された結合材１６によって形成されている。また、外壁部３４の小壁３８と前面部１４の小壁１５との間に複数が間隔をおいて配置された屋切り３２も、水切り板２６の水勾配に対応した上面をもって形成されている。
【００２６】
水切り板２６は、下面が防水シート２８で被覆されて形成されている。この防水シート２８は、図４に示すように、家屋側の端部および屋外側の端部において水切り板本体２７から延在する重ね代２９，３０を持っている。重ね代２９は外壁部３４の一部である小壁３８の屋外側を覆う防水シート３５と重ね合わされて水密に接合され、重ね代３０は前面部１４の一部である小壁１５の屋外側を覆う防水シート１８と重ね合わされて水密に接合される。
【００２７】
出窓１０のさらに上部には図１に示すように樋カバー５２が配置され、樋カバー５２は外壁部３４の小壁３８から前面部１４の小壁１５の上方そして更に屋外側まで突出して、出窓１０の上方を覆っている。樋カバー５２は、外壁部３４に間隔をあけて取り付けられる複数の支持部材５６に固定されている。また、樋カバー５２は下方および屋外側から樋４８を覆う状態となっており、樋４８もまた支持部材に固定される。
【００２８】
屋根部４０の屋外側は、外壁部３４の上面を形成する結合材３７を介して、外壁部３４によって支持される。屋根部４０の軒先部４４は外壁部３４より幾分屋外側に迫り出しており、軒先部４４の先端は、出窓１０の前面部１４より屋内側に位置している。軒先部４４の端面上部には水切り４５が設けられており、屋根部４０を流れてきた雨水等が樋カバー５２内などに漏れることなく樋４８に流れ込むようになっている。
【００２９】
前述した前面部１４の小壁１５を覆う外装材２０は、小壁１５の上端面１７を超える位置まで延在して樋カバー５２の下面５３にほぼ当接している。外装材２０と樋カバー５２の下面５３とは、シール材６０によって防水を保って接合されている。これによって、出窓１０の上方および屋外側が、互いに水密に接合された樋カバー５２および外装材２０によって覆われることになり、出窓１０の一次防水が形成される。このように、樋カバー５２と外装材２０が一体となった防水構造が形成され、出窓１０が樋カバー５２によって上方からの雨等に対して保護されるばかりでなく、横なぐりの雨等や樋カバー５２を滴り落ちる水滴等に対しても防水された出窓１０の構造となる。
【００３０】
また、前述した外壁部３４の小壁３８を屋外側から覆う防水シート３５と、水切り板２６の防水シート２８の家屋側とが、互いに水密に接合され、水切り板２６の防水シート２８の屋外側と前面部１４の小壁１５の屋外側を覆う防水シート１８とが、互いに水密に接合される。これによって、やはり、出窓１０の上部および屋外側が連続して防水され、出窓１０の２次防水が形成される。このように、本実施例の出窓１０の構造によれば、水切り板２６が、前面部１４の防水シート１８および外壁部３４の防水シート３５と水密に接合されているため、外壁部３４の屋外側面から水切り板２６を介して前面部１４の屋外側面にわたって連続した防水層が形成される。この防水層は、樋カバー５２と前面部１４の外装材とがシール材６０で水密に接合されて得られた前述した防水すなわち一次防水に加えて、二次防水として機能し、出窓１０を更に確実に防水する。したがって、万一、一次防水が破られた場合でも出窓１０の防水を確保することができる。
【００３１】
本実施例の出窓１０の構造によれば、出窓１０の前面部１４が屋根部４０の軒先部４４より屋外側に位置し、屋根部４０は出窓１０の屋根としては機能しない出窓１０の構造において、樋カバー５２が、出窓１０上部全体を覆い、出窓１０の屋根を兼用するものとなるため、出窓１０が雨などから十分に保護された出窓構造となる。したがって、出窓１０を保護するために出窓上方のみ軒が長い屋根としたり、出窓１０専用の屋根を設けたりする必要がなく、すっきりとしたデザインの出窓構造が得られるとともに、コストや工数の少ない出窓構造となる。
【００３２】
本実施例の出窓構造は、出窓ユニット８０を用いて構築することができる。以下、出窓ユニット８０について説明する。
【００３３】
本実施例の出窓ユニット８０は、図５に斜視図として示す形状を持っている。出窓ユニット８０は、例えば、図６に斜視図として示す外壁部構成部材８４に、図７に斜視図として示したように側面部８８と前面部１４とを取付け、連結部材である屋切りパネル９４を間隔を空けて複数取り付けて図５に示したように形成される。
【００３４】
外壁部構成部材８４は、一対の側柱８６の上部間に小壁３８となる小壁パネル８５を取り付けて形成される。外壁部構成部材８４は、出窓ユニット８０が家屋に取り付けられた際には、外壁部３４の一部となる。
【００３５】
側面部８８は、一対のそれぞれが外壁部構成部材８４の対応する側の側柱８６および小壁パネル８５に取り付けられる。側面部８８は、後に取り付けられる前面部１４とも接合される。
【００３６】
前面部１４は、小壁１５となる小壁パネル９０と腰壁２２となる腰壁パネル９２とを含んで構成され、窓が取り付けられる窓開口２１を有する。前面部１４はその両側部において、対応する側面部８８に取り付けられる。
【００３７】
屋切り３２となる屋切りパネル９４は、図５に示すように前面部１４の上部の小壁パネル９０と外壁部構成部材８４の小壁パネル８５とに接合される。屋切りパネル９４は、この出窓ユニット８０を用いて出窓１０を構築した際に、その上面が屋外側に傾斜する形状となっている。
【００３８】
このようにして形成された出窓ユニット８０は、家屋７０（図８では外壁部３４と床部２４のみを示した）に取り付けられて、図９に示したように、出窓１０を形成することができる。この出窓１０の上部には、前述した出窓構造の場合と同様に、水切り板２６、樋カバー５２、および屋根部４０などが構築されて出窓構造が完成する。
【００３９】
本実施例の出窓ユニット８０は、上面が開放された出窓ユニット８０となるため、製造するためのコストと工数を削減できるとともに、小型化、軽量化により運搬を容易に行うことができる。また、出窓ユニット８０を用いることによって、出窓１０が容易に構築できるため、出窓１０を有する家屋７０の構築に要する現場工数を削減し、品質の安定化を図ることができる。
【００４０】
また、本実施例の出窓ユニット８０は、上面が屋外側に向けて下降傾斜する複数の連結部材である屋切りパネル９４が、外壁部構成部材８４の小壁パネル８５と前面部１４の上部に位置する小壁１５との間に、所定間隔をおいて配置される。したがって、この出窓ユニット８０を用いて出窓１０を構築する際には、これら屋切りパネル９４の上に防水性の面材である水切り板２６を配置することによって、出窓１０上部に及んだ雨水を屋外側に導く水勾配をもって水切り板２６を容易かつ確実に固定し、出窓１０の上部を防水することができる。
【００４１】
以上、本発明の実施例を説明したが、本発明は前述した各実施例に限定されるものではなく、本発明の要旨の範囲内または特許請求の範囲の均等範囲内で各種の変形実施が可能である。
【００４２】
例えば、前記実施例では、前面部の上部部分が小壁である例を示したが、梁などであってもよい。なお、この場合であっても屋外側には、防水シート、胴縁、および外装材が取り付けられる。
【００４３】
また、前記実施例では、水切り板が水切り板本体と防水シートとを含んで構成される例を示したが、水切り板は必ずしも防水シートを有してなくともよい。この場合、水切り板は、外壁部の屋外側の防水シートおよび前面部の屋外側の防水シートと水密に直接接合すればよい。
【００４４】
さらに、前記実施例では、樋カバーが出窓上部の全体を覆う例を示したが、樋カバーと、別の部材例えば防水性の軒天井部材とを組合せることによって出窓上部全体を覆うようにしてもよい。
【００４５】
【発明の効果】
以上説明したように、請求項１に記載の発明によれば、樋カバーが、出窓上部を覆い、出窓の屋根を兼用するものとなるため、出窓が雨などから十分に保護された出窓構造となる。したがって、出窓を保護するために出窓上方のみ軒が長い屋根としたり、出窓専用の屋根を設けたりする必要がなく、すっきりとしたデザインの出窓構造が得られるとともに、コストや工数の少ない出窓構造となる。
【００４６】
【００４７】
【００４８】
また、水切り板が出窓上部全体を覆うため、雨等の出窓への到達がさらに確実に防止された出窓構造となる。
【００４９】
請求項２に記載の発明によれば、水切り板が、前面部の防水シートおよび外壁部の防水シートと水密に接合されているため、外壁部屋外側面から水切り板を介して前面部屋外側面にわたって連続した防水層が形成される。この防水層は、樋カバーと前面部の外装材とがシール材で水密に接合されて得られた前述した防水すなわち一次防水に加えて、二次防水として機能し、出窓を更に確実に防水する。したがって、万一、一次防水が破られた場合でも出窓の防水を確保することができる。
【００５０】
【００５１】
【図面の簡単な説明】
【図１】  実施例の出窓構造を示す断面図である。
【図２】  実施例の出窓構造を有する家屋の正面図である。
【図３】  実施例の出窓構造を有する家屋の側面図である。
【図４】  実施例の出窓構造の詳細を示す模式的な断面図である。
【図５】  実施例の出窓ユニットを示す斜視図である。
【図６】  実施例の出窓ユニットの外壁部構成部材を示す斜視図である。
【図７】  実施例の出窓ユニットの外壁部構成部材と、側面部と、前面部とが組み立てられた状態を示す斜視図である。
【図８】  実施例の出窓ユニットが取り付けられる家屋の外壁部と床部とを示す斜視図である。
【図９】  実施例の出窓ユニットが図８に示した家屋に取り付けられた状態を示す斜視図である。
【符号の説明】
１０  出窓
１４  前面部
１８  防水シート
２０  外装材
２１  窓開口
２６  水切り板
３４  外壁部
３５  防水シート
４０  屋根部
４４  軒先部
４８  樋
５２  樋カバー
５３  下面
６０  シール材
８０  出窓ユニット
８４  外壁部構成部材
８８  側面部
９４  屋切りパネル（連結部材）
【図１】
0003945788.tif 000002
【図２】
0003945788.tif 000003
【図３】
0003945788.tif 000004
【図４】
0003945788.tif 000005
【図５】
0003945788.tif 000006
【図６】
0003945788.tif 000007
【図７】
0003945788.tif 000008
【図８】
0003945788.tif 000009
【図９】
0003945788.tif 000010